(57)【要約】【課題】比較的大重量の部品を複数収容する梱包構造において、緩衝シートによる個別包装やペレット状緩衝材といった手法によることなく内容物を効果的に保護する。【解決手段】パレット１０の上に、底１１と胴部１２を置き、胴部１２の中に下部緩衝材１４と格子状間仕切り１５を挿入する。格子状間仕切り１５により区画される物品収納空間１７に物品３０を挿入し、その上に上部緩衝材１６と蓋１３を置く。パレット１０、底１１、胴部１２、及び蓋１３を一くくりにして結束バンド１８で結束すると、物品３０は、下部緩衝材１４と上部緩衝材１６の間に、両緩衝材の弾力で挟持される。底１１、胴部１２、蓋１３、及び格子状間仕切り１５は段ボール紙からなり、下部緩衝材１４と上部緩衝材１６は発泡ウレタンの肉厚シートで構成される。【選択図】図１
2008174255.tif 000002
【特許請求の範囲】
【請求項１】
上面が開口部となった直方体形状の胴部と、前記胴部内に下から順次挿入される下部緩衝材及び格子状間仕切りと、前記胴部に被せられる蓋と、前記胴部と蓋を結束する結束バンドとを備え、前記格子状間仕切りにより区画される物品収納空間に挿入された物品は、前記下部緩衝材により支持されることを特徴とする梱包構造。
【請求項２】
前記物品は、下端が前記下部緩衝材に沈む形で支持されることを特徴とする請求項１に記載の梱包構造。
【請求項３】
前記下部緩衝材が前記胴部の水平断面と相似の平面形状を有する肉厚シートとして構成されていることを特徴とする請求項１または２に記載の梱包構造。
【請求項４】
前記下部緩衝材が発泡ウレタンからなることを特徴とする請求項３に記載の梱包構造。
【請求項５】
前記格子状間仕切りの上に挿入される上部緩衝材を備え、前記格子状間仕切りにより区画される物品収納空間に挿入された物品は、その上に前記上部緩衝材を置き、前記蓋を被せて前記結束バンドによる結束が行われたとき、前記下部緩衝材と上部緩衝材の間に、両緩衝材の弾力で挟持されることを特徴とする請求項１から４のいずれか１項に記載の梱包構造。
【請求項６】
前記上部緩衝材が前記胴部の水平断面と相似の平面形状を有する肉厚シートとして構成されていることを特徴とする請求項５に記載の梱包構造。
【請求項７】
前記上部緩衝材が発泡ウレタンからなることを特徴とする請求項６に記載の梱包構造。
【請求項８】
前記胴部は平面形状矩形のパレットに載置されるものであり、前記胴部、蓋、及びパレットを一くくりにして前記結束バンドによる結束が行われることを特徴とする請求項１から７のいずれか１項に記載の梱包構造。
【請求項９】
前記胴部及び格子状間仕切りが段ボール紙からなることを特徴とする請求項１から８のいずれか１項に記載の梱包構造。
【請求項１０】
前記胴部が前記パレットにステープル止めされることを特徴とする請求項１から９のいずれか１項に記載の梱包構造。
【請求項１１】
前記物品がタービンの流路内部品であることを特徴とする請求項１から１０のいずれか１項に記載の梱包構造。
【発明の詳細な説明】
【技術分野】
【０００１】
本発明は、複数の物品を収納する梱包構造に関する。
【背景技術】
【０００２】
同一形状の部品を多数輸送する場合、国内での輸送であれば通い箱を用いることができる。しかしながら海外の工場に部品を送る場合は、通い箱方式であると用済みの通い箱を日本に戻すのに費用がかさむので、ワンウェイの梱包を用いるのが一般的である。また国内間の輸送であっても、大量に使用される部品であって、何度か輸送の機会が訪れるものでなければ、ワンウェイの梱包で送ることが多い。
【０００３】
ワンウェイの梱包を設計するにあたり、梱包対象が比較的大型で重い部品、例えばガスタービンや蒸気タービンの流路内部品（動翼、静翼、遮熱環など）の場合には、木箱梱包とするのが通例であった。しかしながら木箱は基本的に製作コストが高い。箱の中に間仕切りを入れる場合、これも木製にするが、板にスリットを入れて格子状に組み合わせる手間は大変なものであり、コスト高である。そして何よりも、木材資源を大量に消費するという問題がある。
【０００４】
木箱や木製間仕切りに部品が直接当たると、部品が破損するおそれが生じる。部品に表面処理、例えばチタンコーティングが施してある場合、それが剥がれる可能性も高い。そのような事態を防ごうと思えば、部品を緩衝シートで個別包装したり、部品と木箱あるいは間仕切りとの間の隙間にペレット状の緩衝材を詰め込んだりする必要がある。しかしながら緩衝シートの個別包装は手間がかかる上、破れる可能性もある。ペレット状の緩衝材の場合は廃棄処理が厄介である。それが発泡スチロールのようなものからなる場合、細かく砕けて部品に形成された穴を詰まらせる可能性もある。部品がタービンの動翼や静翼である場合、組立前に穴詰まりを完全に解消しておかねばならず、一旦穴詰まりが生じると後始末が大変である。
【０００５】
さらに、仕向地によっては木材の中に有害昆虫が潜んで侵入するのを防ぐため、燻蒸処理をしなければならないことがある。部品そのものは虫によってダメージを受けることはないのに、梱包材料が木材であるということで燻蒸のコストをかけるのは不経済である。
【０００６】
そこで木材に代替し得る梱包材料が求められることになる。そのような梱包材料として代表的なものは段ボール紙である。段ボール紙を用いた梱包構造には特許文献１に見られるようなものがある。特許文献１に記載の梱包構造は被梱包物に伝わる振動や衝撃を緩和する緩衝構造に特徴を有している。
【０００７】
また最近では、梱包箱に非接触ＩＣタグを装着して物流管理を行うことも多くなっている。特許文献２、３に非接触ＩＣタグを装着した梱包箱の例を見ることができる。
【特許文献１】特開２００３−１１８７７４号公報
【特許文献２】特開２００５−４１４８５号公報
【特許文献３】特開２００６−１４３２５９号公報
【発明の開示】
【発明が解決しようとする課題】
【０００８】
特許文献１記載の梱包構造は、段ボール紙、板紙、またはプラスチックからなる上下の緩衝部材の押さえ板部の間に被梱包物を挟むので、ペレット状緩衝材のような廃棄の面倒さがなく、また細かく砕けた緩衝材による部品の穴詰まりを懸念する必要もない。しかしながらこの構造は、比較的大重量の部品を複数収容する梱包構造に応用することはできなかった。
【０００９】
本発明は上記の点に鑑みなされたものであり、木箱以外の梱包構造で、比較的大重量の部品を複数収容する用途に用いられるものにおいて、緩衝シートによる個別包装やペレット状緩衝材といった手法によることなく内容物を効果的に保護し、長距離輸送にも耐え得るようにすることを目的とする。
【課題を解決するための手段】
【００１０】
（１）上記目的を達成するために本発明の梱包構造は、上面が開口部となった直方体形状の胴部と、前記胴部内に下から順次挿入される下部緩衝材及び格子状間仕切りと、前記胴部に被せられる蓋と、前記胴部と蓋を結束する結束バンドとを備え、前記格子状間仕切りにより区画される物品収納空間に挿入された物品は、前記下部緩衝材により支持されることを特徴としている。
【００１１】
この構成によると、格子状間仕切りにより構成される物品収納空間に挿入された物品は、蓋を被せて結束バンドで胴部と蓋を結束したとき、下部緩衝材により支持されるものであるから、物品を緩衝シートで個別包装したり、あるいは一つ一つの物品収納空間にペレット状緩衝材を詰め込むといった手間が省け、梱包作業の生産性が高い。また開梱時には蓋を取り除けば物品をそのまま取り出して使用でき、個別包装を解いたり、ペレット状緩衝材を払い落としたりする手間をかける必要がない。
【００１２】
（２）また本発明は、上記構成の梱包構造において、前記物品は、下端が前記下部緩衝材に沈む形で支持されることを特徴としている。
【００１３】
この構成によると、下部緩衝材が物品の水平方向への移動を阻止し、物品のがたつきが少なくなる。
【００１４】
（３）また本発明は、上記構成の梱包構造において、前記下部緩衝材が前記胴部の水平断面と相似の平面形状を有する肉厚シートとして構成されていることを特徴としている。
【００１５】
この構成によると、下部緩衝材の構造が単純であり、加工に手間をかける必要がないので、製造コストが安くて済む。梱包時あるいは開梱時の緩衝材のハンドリングも楽である。
【００１６】
（４）また本発明は、上記構成の梱包構造において、前記下部緩衝材が発泡ウレタンからなることを特徴としている。
【００１７】
この構成によると、物品で下部緩衝材がこすられても発泡スチロールのように破砕して細片となることがない。従って下部緩衝材の細片が部品の穴に詰まることを懸念する必要がない。また発泡率を調整することにより必要な弾力を得ることができる。
【００１８】
（５）また本発明は、上記構成の梱包構造において、前記格子状間仕切りの上に挿入される上部緩衝材を備え、前記格子状間仕切りにより区画される物品収納空間に挿入された物品は、その上に前記上部緩衝材を置き、前記蓋を被せて前記結束バンドによる結束が行われたとき、前記下部緩衝材と上部緩衝材の間に、両緩衝材の弾力で挟持されることを特徴としている。
【００１９】
この構成によると、格子状間仕切りにより構成される物品収納空間に挿入された物品は、その上に上部緩衝材を置き、蓋を被せて結束バンドで胴部と蓋を結束したとき、下部緩衝材と上部緩衝材の間に、両緩衝材の弾力で挟持されるものであるから、物品を緩衝シートで個別包装したり、あるいは一つ一つの物品収納空間にペレット状緩衝材を詰め込むといった手間が省け、梱包作業の生産性が高い。また開梱時には蓋と上部緩衝材を取り除けば物品をそのまま取り出して使用でき、個別包装を解いたり、ペレット状緩衝材を払い落としたりする手間をかける必要がない。
【００２０】
（６）また本発明は、上記構成の梱包構造において、前記上部緩衝材が前記胴部の水平断面と相似の平面形状を有する肉厚シートとして構成されていることを特徴としている。
【００２１】
この構成によると、上部緩衝材の構造が単純であり、加工に手間をかける必要がないので、製造コストが安くて済む。梱包時あるいは開梱時の緩衝材のハンドリングも楽である。
【００２２】
（７）また本発明は、上記構成の梱包構造において、前記上部緩衝材が発泡ウレタンからなることを特徴としている。
【００２３】
この構成によると、物品で上部緩衝材がこすられても発泡スチロールのように破砕して細片となることがない。従って上部緩衝材の細片が部品の穴に詰まることを懸念する必要がない。また発泡率を調整することにより必要な弾力を得ることができる。
【００２４】
（８）また本発明は、上記構成の梱包構造において、前記胴部は平面形状矩形のパレットに載置されるものであり、前記胴部、蓋、及びパレットを一くくりにして前記結束バンドによる結束が行われることを特徴としている。
【００２５】
この構成によると、フォークリフトによる荷役作業に便利な荷姿の形成と、物品を緩衝支持できる梱包の形成を一挙に実現できる。
【００２６】
（９）また本発明は、上記構成の梱包構造において、前記胴部及び格子状間仕切りが段ボール紙からなることを特徴としている。
【００２７】
この構成によると、梱包構造の材料コスト及び成形加工のコストを引き下げることができる。木材資源を過度に消費することにもならない。そして、物品が当たったとしても物品に傷がつかないので、個別包装を考慮する必要がない。
【００２８】
（１０）また本発明は、上記構成の梱包構造において、前記胴部が前記パレットにステープル止めされることを特徴としている。
【００２９】
この構成によると、荷役作業中に胴部とパレットの位置がずれたりすることがない。
【００３０】
（１１）また本発明は、上記構成の梱包構造において、前記物品がタービンの流路内部品であることを特徴としている。
【００３１】
この構成によると、高価格であり、表面の傷つきが忌避されるタービンの流路内部品を効率的に梱包した上、効果的に保護しつつ輸送することができる。
【発明の効果】
【００３２】
本発明によると、格子状間仕切りにより構成される物品収納空間に挿入された物品は、蓋を被せて結束バンドで胴部と蓋を結束したとき、下部緩衝材により支持されるものであるから、物品を緩衝シートで個別包装したり、あるいは一つ一つの物品収納空間にペレット状緩衝材を詰め込むといった手間が省け、梱包作業の生産性が高い。また開梱時には蓋を取り除けば物品をそのまま取り出して使用でき、個別包装を解いたり、ペレット状緩衝材を払い落としたりする手間をかける必要がない。
【００３３】
また本発明によると、胴部の中に下部緩衝材と格子状間仕切りを挿入し、格子状間仕切りにより区画される物品収納空間に物品を挿入し、その上に上部緩衝材を置き、蓋を被せて結束バンドで胴部と蓋を結束したとき、下部緩衝材と上部緩衝材の間に、両緩衝材の弾力で物品が挟持されるものであるから、緩衝シートで個別包装したり、あるいは一つ一つの物品収納空間にペレット状緩衝材を詰め込むといった手間が不要である。開梱時には蓋と上部緩衝材を取り除けば物品をそのまま取り出して使用でき、個別包装を解いたり、ペレット状緩衝材を払い落としたりする必要がない。
【００３４】
また本発明によると、胴部と格子状間仕切りを段ボール紙製とすることにより、梱包構造の材料コスト及び成形加工のコストを引き下げることができる上、物品が当たったとしても物品に傷がつかないので、個別包装を考慮する必要がない。
【発明を実施するための最良の形態】
【００３５】
以下本発明の第１実施形態を図１−４に基づき説明する。図１は梱包構造を構成する要素の分解斜視図、図２は物品梱包作業の途中経過を示す斜視図、図３は完成状態の梱包構造の斜視図、図４は完成状態の梱包構造の垂直断面図である。
【００３６】
図３、４の状態を完成状態とする梱包構造１は、図１に示す要素により構成される。床面や地面に置かれ、全体を支える役目をするのが平面形状矩形のパレット１０である。パレット１０は、フォークリフトによる荷役作業を可能とする、一般的な構造のものであればよく、木製でもプラスチック製でも構わない。図では木製として描かれている。
【００３７】
パレット１０の上に置かれるのはそれと同一あるいは相似の平面形状を備えたトレイ状の底１１である。底１１の上には、その中にすっぽりとはまり込む形の胴部１２が置かれる。胴部１２は直方体形状であり、上面と下面は開口部となっている。胴部１２の上部に蓋１３が被せられる。底１１と蓋１３は対称構造となっている。
【００３８】
底１１、胴部１２、及び蓋１３は、複層段ボール紙により形成される。胴部１２については、特に強度の高い３層段ボール紙を使用するのがよい。段ボール紙には、雨や、海上輸送の場合には波しぶきがかかることなども考慮して、長繊維のバージンパルプを主体とする、耐水性の高いものを採用するのが望ましい。
【００３９】
底１１にはめ込まれた胴部１２の中には、下から順に、下部緩衝材１４、格子状間仕切り１５、及び上部緩衝材１６が挿入される。下部緩衝材１４と上部緩衝材１６は、胴部１２の水平断面と相似の平面形状を有する、発泡ウレタンの肉厚シートからなり、その肉厚は、後述する物品を十分沈み込ませることができる程度に設定する。発泡ウレタンとしては、例えば、発泡倍率４５倍、比重０．０２２程度のものを選択することができる。
【００４０】
底１１、胴部１２、及び蓋１３と同様、格子状間仕切り１５も複層段ボール紙により形成される。格子状間仕切り１５は、上向きのスリットを打ち抜き加工した段ボール紙と下向きのスリットを打ち抜き加工した段ボール紙を組み合わせるという、一般的な手法で製作される。
【００４１】
図２及び図４に示す物品３０は、ガスタービンの動翼であるものとして描かれているが、これは単なる例示であり、それに限定される訳ではない。物品３０を梱包するにあたっては、底１１に胴部１２をはめ込んだ状態で、胴部１２の中に下部緩衝材１４と格子状間仕切り１５を挿入し、格子状間仕切り１５により区画される物品収納空間１７に、物品３０を１個ずつ、その長手方向を縦軸にする形で落とし込む。すると物品３０が下部緩衝材１４により支持されることになる。格子状間仕切り１５の高さは物品３０の高さより少し低く設定し、物品収納空間１７から物品３０が少しはみ出すようにしておく。
【００４２】
物品３０を支持する下部緩衝材１４は、物品３０の下部が下部緩衝材１４に所定の深さ沈む形になるように肉厚と弾性を設定する。このようにしておけば下部緩衝材１４が物品３０の水平方向への移動を阻止し、物品３０のがたつきが少なくなる。
【００４３】
物品収納空間１７に物品３０を入れ終わった後、胴部１２に上部緩衝材１６を挿入する。この時、下部緩衝材１４に支持された物品３０の上端に下面が当たった上部緩衝材１６の上面が、胴部１２の上縁より上にはみ出すことになるよう、胴部１２の高さを設定しておく。
【００４４】
胴部１２からはみ出した上部緩衝材１６の上に蓋１３を被せる。そしてパレット１０の上面板の下から結束バンド１８を回し、パレット１０、底１１、胴部１２、蓋１３を一くくりにする形で結束バンド１８による結束を行う。すると上部緩衝材１６は蓋１３によって胴部１２に押し込められ、下部緩衝材１４との間に、互いの弾力で物品３０を挟持することになる。
【００４５】
結束バンド１８としてはスチールバンドを選択するのがよい。なお図３には結束バンド１８が２本描かれているが、その数に制限はない。
【００４６】
梱包完成状態では、図４に見られるように、物品３０は下端を下部緩衝材１４に食い込ませ、上端を上部緩衝材１６に食い込ませる形で、しっかりと保持され、その位置から移動しない。これにより梱包構造１は荷役作業時の振動、急激な移動や姿勢変更などに耐えて物品３０を保持することができる。仮に物品３０が物品収納空間１７の中で移動し、胴部１２の内面や格子状間仕切り１５に当たったとしても、それらは段ボール紙製なので物品３０に傷がつかない。従って梱包構造１は物品３０の保護の役割を十分に果たすことができる。
【００４７】
図４には、底１１と胴部１２の合わせ目を取り巻くように貼り付けられた防水帯１９が描かれている。防水帯１９はプラスチック製のストレッチフィルムからなり、底１１と胴部１２の合わせ目から水が侵入するのを防止する。
【００４８】
本発明の第２実施形態を図５−８に基づき説明する。図５は梱包構造を構成する要素の分解斜視図、図６は物品梱包作業の途中経過を示す斜視図、図７は完成状態の梱包構造の斜視図、図８は完成状態の梱包構造の垂直断面図である。
【００４９】
第２実施形態の梱包構造１には底１１がない。その代わりとして、胴部１２の下面開口部の縁に、通常のカートンボックスと同様のフラップ２０が形成されている。フラップ２０を内側に折り曲げて胴部１２の底部とする。
【００５０】
図８に示すように、フラップ２０はパレット１０に対し、ステープル２１で固定される。このため、荷役作業中に胴部１２とパレット１０の位置がずれるといったことがない。なおステープル２１は図に示すコ字形状のものに限定されない。段ボール紙をしっかり固定できるものであれば、どのような構造・形状のものであっても使用可能である。
【００５１】
パレット１０にステープル２１で固定した胴部１２の中に下部緩衝材１４と格子状間仕切り１５を挿入する。そして図６に示すように、格子状間仕切り１５により区画される物品収納空間１７に物品３０を１個ずつ、その長手方向を縦軸にする形で落とし込む。物品収納空間１７に物品３０を入れ終わった後、胴部１２に上部緩衝材１６を挿入し、蓋１３を被せる。そしてパレット１０の上面板の下から結束バンド１８を回し、パレット１０、底１１、胴部１２、蓋１３を一くくりにする形で結束バンド１８による結束を行う。すると上部緩衝材１６は蓋１３によって胴部１２に押し込められ、下部緩衝材１４との間に、互いの弾力で物品３０を挟持することになる。
【００５２】
第１実施形態では、底１１と胴部１２の合わせ目から水が浸入しないよう、合わせ目を防水帯１９で巻いていたが、第２実施形態は底１１に胴部１２をはめ込むという構成ではないので、水の浸入を気に掛ける必要がなく、防水帯１９も不要である。また、内側に折り込まれるフラップ２０を備えることにより、内側からの圧力に対する強度が増して胴膨れの度合いが減少した。天地方向の圧縮強度も向上した。
【００５３】
本発明の第３実施形態を図９に基づき説明する。図９は完成状態の梱包構造の垂直断面図である。
【００５４】
第３実施形態は、第１実施形態から上部緩衝材１６を省き、下部緩衝材１４だけで物品３０を支持するようにしたものである。物品３０の上端と蓋１３の下面との隙間を小さく、望ましくはゼロにして物品３０が躍り上がるのを防げば、下部緩衝材１４だけでも物品３０の水平方向への移動を十分に阻止できる。あるいはもっと積極的に、蓋１３によって物品３０を圧迫し、下部緩衝材１４の中に押し込むようにしてもよい。下部緩衝材１４について言えば、第１実施形態の場合よりもさらに肉厚にし、蓋１３で押し込まれた物品３０が十分にクッションのきいた状態で受け止められるようにするのもよい。
【００５５】
本発明の第４実施形態を図１０に基づき説明する。図１０は完成状態の梱包構造の垂直断面図である。
【００５６】
第４実施形態は、第２実施形態から上部緩衝材１６を省き、下部緩衝材１４だけで物品３０を支持するようにしたものである。第３実施形態と同様、物品３０の上端と蓋１３の下面との隙間を小さく、望ましくはゼロにして物品３０が躍り上がるのを防げば、下部緩衝材１４だけでも物品３０の水平方向への移動を十分に阻止できる。あるいはもっと積極的に、蓋１３によって物品３０を圧迫し、下部緩衝材１４の中に押し込むようにしてもよい。下部緩衝材１４について言えば、第１実施形態の場合よりもさらに肉厚にし、蓋１３で押し込まれた物品３０が十分にクッションのきいた状態で受け止められるようにするのもよい。
【００５７】
本発明の第５実施形態を図１１に示す。図１１は胴部の水平断面図である。
【００５８】
第５実施形態は、第１実施形態から第４実施形態までのいずれかの実施形態と組み合わせて実施される。図１１に示す物品３０はガスタービンの静翼である。静翼は端部方向から見ると平行四辺形の形状を有しており、物品収納空間１７の水平断面も同様の形状であると物品３０の納まりが良い。そこで、格子状間仕切り１５を上から見て斜めにずらし、物品収納空間１７の水平断面が静翼形状と相似形の平行四辺形を呈するようにしたものである。このようにすると胴部１２の両端に平面形状三角形の隙間が生じるので、段ボール紙を折って水平断面三角形のスペーサー２２を形成し、それを入れて隙間を塞ぐ。
【００５９】
上記各実施形態の胴部１２には、物品３０に関する情報を記録した非接触ＩＣタグを装着することができる。以下これを図１２以下の図に基づき説明する。
【００６０】
図１２は胴部１２の一部を拡大して示す斜視図である。胴部１２の表面には、非接触ＩＣタグの所在を示すマーク２３が、印刷、シール貼り、スタンプ押し、型押し、あるいはこれらの組み合わせによって形成されている。マーク２３自体は図形、文字、バーコード、二次元バーコード、あるいはこれらの組み合わせにより構成される。そしてマーク２３に対応する胴部１２の内面には、図１３に見られるように凹部２４が形成され、その底部に非接触ＩＣタグ２５が装着されている。凹部２４は型押しにより形成することができる。非接触ＩＣタグ２５は接着、テープによる貼り付けなどの手段で脱落しないようにしっかりと装着する。
【００６１】
このように、外部から手の届かない、胴部１２の内側に非接触ＩＣタグ２５を配置したので、非接触ＩＣタグ２５が取り去られたり、記録内容が改竄されたりするおそれが少ない。また非接触ＩＣタグ２５は凹部２４の中に収まっているので、下部緩衝材１４、格子状間仕切り１５、物品３０などを挿入するとき、それらが当たって脱落することが防がれる。
【００６２】
図１４には非接触ＩＣタグ２５の配置場所に関する変形実施態様を示す。この実施態様では、胴部１２の段ボール紙を構成する３層のコルゲート層のうち、中央の層に空洞２６を形成し、その中に非接触ＩＣタグ２５を配置した。これにより、非接触ＩＣタグ２５の保護はさらに完全なものになる。
【００６３】
以上本発明の各実施形態につき説明したが、この他、発明の主旨を逸脱しない範囲で種々の変更を加えて実施することができる。
【産業上の利用可能性】
【００６４】
本発明は、比較的大重量の物品を複数まとめて傷つけないように梱包する梱包構造に広く利用可能である。
【図面の簡単な説明】
【００６５】
【図１】本発明の第１実施形態に係る、梱包構造を構成する要素の分解斜視図
【図２】第１実施形態における物品梱包作業の途中経過を示す斜視図
【図３】第１実施形態における完成状態の梱包構造の斜視図
【図４】第１実施形態における完成状態の梱包構造の垂直断面図
【図５】本発明の第２実施形態に係る、梱包構造を構成する要素の分解斜視図
【図６】第２実施形態における物品梱包作業の途中経過を示す斜視図
【図７】第２実施形態における完成状態の梱包構造の斜視図
【図８】第２実施形態における完成状態の梱包構造の垂直断面図
【図９】本発明の第３実施形態に係る、完成状態の梱包構造の垂直断面図
【図１０】本発明の第４実施形態に係る、完成状態の梱包構造の垂直断面図
【図１１】本発明の第５実施形態に係る、胴部の水平断面図
【図１２】胴部の部分拡大斜視図
【図１３】胴部の部分拡大断面図
【図１４】変形実施態様に係る、胴部の拡大部分断面図
【符号の説明】
【００６６】
１    梱包構造
１０  パレット
１１  底
１２  胴部
１３  蓋
１４  下部緩衝材
１５  格子状間仕切り
１６  上部緩衝材
１７  物品収納空間
１８  結束バンド
３０  物品
【図１】
2008174255.tif 000003
【図２】
2008174255.tif 000004
【図３】
2008174255.tif 000005
【図４】
2008174255.tif 000006
【図５】
2008174255.tif 000007
【図６】
2008174255.tif 000008
【図７】
2008174255.tif 000009
【図８】
2008174255.tif 000010
【図９】
2008174255.tif 000011
【図１０】
2008174255.tif 000012
【図１１】
2008174255.tif 000013
【図１２】
2008174255.tif 000014
【図１３】
2008174255.tif 000015
【図１４】
2008174255.tif 000016